(57)【要約】【課題】  快適に着用することができ、確実に塵等の飛散を防ぐマスクを提供する。【解決手段】  通気性を有し鼻と口を覆うマスク本体１２と、マスク本体１４の内側に取り付けられ通気性を有し鼻の下に位置して口を覆うインナーマスク２８を有する。マスク本体１４は、インナーマスク２８との間に空間３５が設けられ、空間３５はマスク本体１４の下端部に連通してマスク着用者１２の顎との間に所定の間隔を形成し、外気に開口する通気部３６となる。インナーマスク２８は、略四角形に形成され、インナーマスク２８の一対の対向する側縁部が、マスク本体１４の内側に取り付けられ、インナーマスク２８の一対の側縁部間の長さは、インナーマスク２８の一対の側縁部が取り付けられたマスク本体１４の取り付け位置間の間隔よりも短い。【選択図】        図１
2005074022.tif 000002
【特許請求の範囲】
【請求項１】
通気性を有し鼻と口を覆うマスク本体と、上記マスク本体の内側に取り付けられ通気性を有し鼻の下に位置して口を覆うインナーマスクが設けられ、上記マスク本体は、上記インナーマスクとの間に空間が設けられ、上記空間は上記マスク本体の下端部に連通してマスク着用者の顎との間に所定の間隔を形成し、外気に開口する通気部となることを特徴とするマスク。
【請求項２】
上記インナーマスクは、略四角形に形成され、上記インナーマスクの一対の対向する側縁部が上記マスク本体内側に取り付けられ、上記インナーマスクの上記一対の側縁部間の長さは、上記インナーマスクの一対の側縁部が取り付けられた上記マスク本体の取り付け位置間の間隔よりも短く、上記マスクを着用したときに上記インナーマスクは鼻の下に位置して口に当接し、上記マスク本体は上記インナーマスクの外側にゆとりを有して上記空間を形成することを特徴とする請求項１記載のマスク。
【請求項３】
上記インナーマスクは、上記マスクの着用時に上方に位置する上端縁の長さが、下方に位置する下端縁の長さよりも短く形成され、上記インナーマスクの一対の対向する側縁部の上記マスク本体への取付位置を互いに平行にした状態で、上記インナーマスクの上記下端縁が上記マスク本体側に傾斜して立体的に位置し、上記マスクを着用したときに、上記インナーマスクは、着用者の鼻の下で上唇に沿って傾斜して接することを特徴とする請求項１又は２記載のマスク。
【請求項４】
通気性を有し口を覆うマスク本体を有し、上記マスク本体の内側で口の下方から顎に掛けて空間が設けられ、上記空間が上記マスク本体の下端部と顎との間で外気に連通することを特徴とするマスク。
【発明の詳細な説明】
【技術分野】
【０００１】
この発明は、例えばクリーンルーム内で人体からの発塵を防ぐため等に用いられるマスクに関する。
【背景技術】
【０００２】
例えば、半導体の製造等を行うクリーンルーム内では、作業者の口や鼻からの発塵を防ぐために、防塵用のマスクを着用している。このマスクには、不織布等で作られた使い捨てのものがあり、鼻の付け根付近やあご周辺に隙間が生じないように工夫されている。これによりマスクの周縁部が顔に密着するため、作業者が発する塵の飛散を効果的に防ぐことができる。
【特許文献１】特開平７−２７５３８４号公報
【特許文献２】特開平１０−５３６０号公報
【特許文献３】特開２００１―２０４８３３号公報
【発明の開示】
【発明が解決しようとする課題】
【０００３】
一般にマスクは、マスクの周縁部が顔に密着するほど発塵等を防ぐ効果が大きい。従って、特に、クリーンルームや医療用のマスクは、その周縁部からの発塵や空気の出入りを確実に防止するようにしている。しかし、周縁部が密着したマスクの内側は、呼吸による湿度や温度が高くなり、着用者にとっては息苦しく、快適ではなかった。
【０００４】
この発明は、上記課題に鑑みてなされたものであり、快適に着用することができ、確実に塵等の飛散を防ぐマスクを提供することを目的とする。
【課題を解決するための手段】
【０００５】
本発明は、通気性を有し鼻と口を覆うマスク本体と、上記マスク本体の内側に取り付けられ通気性を有し鼻の下に位置して口を覆うインナーマスクが設けられ、上記マスク本体は、上記インナーマスクとの間に空間が設けられ、上記空間は上記マスク本体の下端部に連通してマスク着用者の顎との間に所定の間隔を形成し、外気に開口する通気部となるマスクである。
【０００６】
また、上記インナーマスクは、略四角形に形成され、上記インナーマスクの一対の対向する側縁部が上記マスク本体内側に取り付けられ、上記インナーマスクの上記一対の側縁部間の長さは、上記インナーマスクの一対の側縁部が取り付けられた上記マスク本体の取り付け位置間の間隔よりも短く、上記マスクを着用したときに上記インナーマスクは鼻の下に位置して口に当接し、上記マスク本体は上記インナーマスクの外側にゆとりを有して上記空間を形成する。
【０００７】
また、上記インナーマスクは、上記マスクの着用時に上方に位置する上端縁の長さが、下方に位置する下端縁の長さよりも短く形成され、上記インナーマスクの一対の対向する側縁部の上記マスク本体への取付位置を互いに平行にした状態で、上記インナーマスクの上記下端縁が上記マスク本体側に傾斜して立体的に位置し、上記マスクを着用したときに、上記インナーマスクは、着用者の鼻の下で上唇に沿って傾斜して接する。
【０００８】
また、通気性を有し口を覆うマスク本体を有し、上記マスク本体の内側で口の下方から顎に掛けて空間が設けられ、上記空間が上記マスク本体の下端部と顎との間で外気に連通するマスクである。
【発明の効果】
【０００９】
本発明のマスクは、呼吸を快適ににすることができ着用感が良好であり、確実に発塵を防ぐことができる。これにより、比較的簡単な装備でクリーンルーム等を清浄な環境に維持することができ、着用者にとっても快適に作業を行うことができる。
【発明を実施するための最良の形態】
【００１０】
以下、この発明の実施形態について、図面に基づいて説明する。図１から図５は、この発明の第一実施形態を示すものであり、この実施形態のマスク１０は、着用者１２のほぼ顔の下半分を覆うマスク本体１４が設けられている。マスク本体１４は、１枚の不織布を図４に示すように切断して作られている。マスク本体１４は、顔の正面を覆う矩形の中央部１６を有し、中央部１６の下端部１６ａの中心には、逆Ｖ字形の切込み１８が形成されている。切込み１８の内縁部には、糊しろ２０が設けられている。中央部１６の下端部１６ａに直交する両側縁部１６ｂには、下端部１６ａに連続して、一定幅の側面部２２が、斜め上方側方へ向かってそれぞれ設けられている。中央部１６の側縁部１６ｂと、側面部２２の間は、深いＶ字形の切込み２４となっている。切込み２４の内縁部には、糊しろ２６がそれぞれ設けられている。
【００１１】
マスク本体１４の中央部１６の内側面には、インナーマスク２８が設けられている。インナーマスク２８は、マスク本体１４と同じ不織布等の素材で作られている。インナーマスク２８は、図４に示すように帯状の略長方形であり、マスク本体１４の中央部１６の、一対の切込み２４の間に、長手方向が位置して、取り付けられている。インナーマスク２８の長手方向の長さは、マスク本体１４のインナーマスク２８の両端部の一対の取り付け位置である一対の切込み２４の側縁間の間隔、つまり中央部１６の水平方向の幅よりも短く設けられている。インナーマスク２８の上端部２８aは、着用者１２の鼻の下の付け根付近を通って頬に達するように中央がやや凹となる曲線で形成されている。インナーマスク２８の長手方向両端部２８ｂは、下端部２８ｃよりも上端部２８aがわずかに短くなっている。つまり、一対の端部２８ｂは、上端部２８ａに近づくほど互いに近づくように所定角度を有する直線に形成されている。これによりマスク本体１４に対して、人の顔形状に近い立体的に取り付けられる。一対の端部２８ｂの、下端部２８aに隣接する部分には、矩形の切欠部３０が設けられている。一対の端部２８ｂの、切欠部３０以外の部分には、糊しろ３２が設けられている。
【００１２】
次にマスク１０の作り方について説明する。マスク本体１４の切込み１８の一対の内縁部の糊しろ２０を、互いに裏面同士を重ね、接着や熱溶着で接着する。同様に、マスク本体１４の一対の切込み２４の一対の内縁部の糊しろ２６を、インナーマスク２８の端部２８ｂをそれぞれ挟んだ状態で互いに裏面同士を重ね、接着する。そして、マスク本体１４の側面部２２の、側縁部２２ａには、耳にかけるゴム紐３４が取り付けられる。なお、接着の順番は上記以外でもよい。
【００１３】
次に、マスク１０の使用方法について説明する。先ず、ゴム紐３４を着用者１２の耳にかける。すると、図２に示すように、着用者１２の顔の下半分を、マスク本体１４が覆い、インナーマスク２８が口を覆う。このとき、インナーマスク２８は、マスク１０の着用時に上端部２８ａが下端部２８ｃよりも短くなるように、マスク本体１４に対して立体的に取り付けられている。このため、インナーマスク２８は、着用者１２の鼻の下側の付け根付近から上唇の間が、上唇先端に近づくほど徐々に突き出している形状に接する。また、マスク本体１４は、中央部１６がインナーマスク２８より大きく形成されているため、マスク本体１４はインナーマスク２８の外側にゆとりを有して空間３５が形成される。空間３５は、マスク本体１４の中央部１６の下端部１６ａに連通して顎との間に隙間を形成し、外気に開口する通気部３６となる。
【００１４】
また、マスク１０は、図５に示すように、細く薄く折り畳むことができる。折り方は、先ず、一対の側面部２２をマスク本体１４の中央部１６側に折り畳む。折り畳み方は、接着された切込み２４部分と切込み２４の延長線を折罫線として、互いに内側へ折り返す。次に中央部１６を、接着された切込み１８と切込み１８の延長線つまり中央部１６の中心線を折罫線として、二つ折りする。このときインナーマスク２８も二つ折りする。マスク１０を広げるときは、側面部２２の側縁部２２ａを左右に張ると、簡単に広がる。
【００１５】
この実施形態のマスク１０によれば、インナーマスク２８が着用者１２の口に密着して口の周辺からの発塵を防ぎ、クリーンな環境を維持することができる。また、使用者１２の鼻はインナーマスク２８から露出し、マスク本体１４には覆われており、マスク本体１４内の空間３５で自由に呼吸することができる。マスク本体１４の内側で鼻と口をインナーマスク２８で分けることにより、呼気がこもるスペースをなくすことで息苦しさを解消することができる。空間３５はマスク本体１４の中央部１６の下端部１６ａに連通して外気に開口する通気部３６となり、換気が可能であり湿気がこもらず、温度上昇も抑えることができ、快適である。通気部３６から排出された呼吸の中にある塵は、マスク１０の下方に排出される。通常、クリーンルームは、天井から床に向かってエアが流れているため、マスク１０の下から出た塵は、短時間で床に吸い込まれ拡散することがない。また、マスク１０は、小さく折り畳むことができるため、携帯や保管、輸送に便利であり、またクリーンルームに出入りする際は、必要に応じて着用し、不要なときには外してポケット等に収納することができる。インナーマスク２８が上唇に当接しているため、あごを動かしてもマスク１０のずれがなく、安定している。マスク１０のずれがないため、ポンピング現象による極端な呼気の漏れを防ぐことができる。さらに、平面設計でありながら立体マスクとなり、製造コストがかからず、製造工程も簡単である。
【００１６】
次にこの発明の第二実施形態について、図６，図７を基にして説明する。この実施形態のマスク４０は、１枚の不織布を切断して作られている。マスク４０は、互いに対象形の右マスク部４２と左マスク部４４が、境界線４６で互いに連続して一体になっている。右マスク部４２の、境界線４６の上方に位置する側縁部４２ａと下方に位置する側縁部４２ｂは、左マスク部４４の、境界線４６の上方に位置する側縁部４４ａと下方に位置する側縁部４４ｂに、それぞれ接着されている。右マスク部４２の上端部４２ｃと、左マスク部４４の上端部４４ｃは、目の下のラインに沿って下方に凹のカーブが形成されている。右マスク部４２の側縁部２４ｄと、左マスク部４４の側端部４４ｄには、ゴム紐４８が取り付けられている。
【００１７】
次に、マスク４０の使用方法について説明する。ゴム紐４８を着用者１２の耳にかけて着用する。これにより、着用者１２の鼻から下の顔半分をマスク４０で覆う。マスク４０の外側面には、さらに大きくて発塵を抑える機能を有する布製等のマスク４１を着用する。
【００１８】
この実施形態のマスク４０によれば、マスク４０が着用者１２の口に密着して口の周辺からの発塵を確実に防ぐ。しかも、使用者１２の鼻はマスク４０から露出し、外側のマスク４１には覆われており、マスク４１内で自由に呼吸することができる。さらに、マスク４１の内側で鼻と口をマスク４０で分けることにより、呼気がこもるスペースをなくすことで息苦しさを解消することができる。
【００１９】
なお、この発明のマスクは、上記各実施形態に限定されるものではなく、素材は自由に選択することができ、インナーマスクやマスク本体の形状は、上記以外でもよい。また、クリーンルーム用のマスク以外のいろいろな用途のマスクに利用することができる。
【実施例１】
【００２０】
この発明の第一実施形態のマスク１０についてマスク着用快適性評価をした。評価方法は、マスク内の鼻部付近と口部付近の湿度を、１０分間着用し経過時間ごとに測定した。比較のために従来のカップ形のマスクについても同様の測定を行った。その結果を、図８のグラフに示す。これによると、この実施形態のマスク１０は、口部の湿度は従来品のマスクよりもわずかに低く、鼻周辺の湿度は従来品のマスクよりも約３０％低い値となった。
【００２１】
これにより、この実施例のマスクは、鼻による呼吸の蒸気がマスク１０の外にスムーズに排出され、マスク１０内にこもらず快適な着用感が得られることがわかった。
【図面の簡単な説明】
【００２２】
【図１】この発明の第一実施形態のマスクの使用状態を示す斜視図である
【図２】この実施形態のマスクの使用状態を示す縦断面図である。
【図３】この実施形態のマスクの縦断面図である
【図４】この実施形態のマスクの展開図である。
【図５】この実施形態のマスクの折り畳んだ状態を示す側面図である。
【図６】この発明の第二実施形態のマスクの使用状態を示す斜視図である。
【図７】この実施形態のマスクの正面図である。
【図８】この発明のマスクの着用快適性評価の湿度変化を示すグラフである。
【符号の説明】
【００２３】
１０  マスク
１２  着用者
１４  マスク本体
１６  中央部
１８，２４  切込み
２０，２６，３２  糊しろ
２２  側面部
２８  インナーマスク
３０  切欠部
３４  ゴム紐
３５  空間
３６  通気部
【図１】
2005074022.tif 000003
【図２】
2005074022.tif 000004
【図３】
2005074022.tif 000005
【図４】
2005074022.tif 000006
【図５】
2005074022.tif 000007
【図６】
2005074022.tif 000008
【図７】
2005074022.tif 000009
【図８】
2005074022.tif 000010